(57)【要約】【課題】床下地材の凹凸による床材の段差や、床材の膨張収縮による段差が発生しにくく、且つ床材の厚みを薄くでき、厚みを薄くしたにもかかわらず強度の高い床材の接続構造を提供する。【解決手段】木粉樹脂複合材１を基材とする床材２を床下地材３に複数並べて載置する。隣接する床材２のうち、一方の床材２ａの側面下半部に下突部４を形成すると共に他方の床材２ｂの側面上半部に上突部５を形成して隣接する床材２の側面に相じゃくり状の上下突部４、５を形成する。一方の床材２ａの下突部４を他方の床材２ｂの上突部５の下方に形成された下段部６に嵌め込むと共に他方の床材２ｂの上突部５を一方の床材２ａの下突部６の上方に形成された上段部７に嵌め込む。粘着テープ８を隣接する床材２の下面に跨って貼着する。【選択図】        図１
2004204504.tif 000002
【特許請求の範囲】
【請求項１】
木粉樹脂複合材を基材とする床材を床下地材に複数並べて載置し、隣接する床材のうち、一方の床材の側面下半部に下突部を形成すると共に他方の床材の側面上半部に上突部を形成して隣接する床材の側面に相じゃくり状の上下突部を形成し、一方の床材の下突部を他方の床材の上突部の下方に形成された下段部に嵌め込むと共に他方の床材の上突部を一方の床材の下突部の上方に形成された上段部に嵌め込み、粘着テープを隣接する床材の下面に跨って貼着してなることを特徴とする床材の接続構造。
【請求項２】
上記床材が木粉樹脂複合材の表面に化粧シートを積層したものであることを特徴とする請求項１記載の床材の接続構造。
【請求項３】
上記化粧シートがオレフィン系の化粧シートであることを特徴とする請求項２記載の床材の接続構造。
【請求項４】
上記床材の厚みが３ｍｍ以下であることを特徴とする請求項１〜３のいずれかに記載の床材の接続構造。
【発明の詳細な説明】
【０００１】
【発明の属する技術分野】
本発明は、隣接する床材の接続構造に関するものである。
【０００２】
【従来の技術】
従来から、リフォームする際に用いられる合板や、ＭＤＦ等を基材とする床材が知られており、この床材は床下地材に貼着されることで施工が行われている。
【０００３】
しかし、このものは隣接する床材が接続されていないため、床下地材の凹凸による床材の段差、床材の膨張収縮による目隙や突き上げが発生しやすいという問題がある。
【０００４】
そこで従来では、床材を床下地材に複数並べて載置し、隣接する床材のうち、一方の床材の側面の上下方向中央部に実部を形成すると共に他方の床材の側面の上下方向中央部に凹部を形成し、一方の床材の実部を他方の床材の凹部に嵌め込んで本実接続し、床下地材上面に両面粘着テープの下面を貼着すると共に上面を隣接する床材の下面に跨って貼着して床材を接続し、これによって上記問題を改善していた（例えば特許文献１参照）。
【０００５】
【特許文献１】
特開２００１−２７０３７号公報
【０００６】
【発明が解決しようとする課題】
ところで上記特許文献１に示す従来例においては、実部の形状及び強度を確保するために実部の厚みを厚くしなければならず、これによって３ｍｍ以下の厚みの薄い実部を有する床材を製造することができなかった。よって従来では床下地材に厚みの厚い床材を貼着して床材の施工を行っていたのだが、この場合ドアのアンダーカットや収納レールの張り替え等の大掛かりな施工が必要でり、非常にコストがかかってしまっていた。また上記合板、ＭＤＦ等を基材とする床材は強度が低く、この点からも厚みの薄い床材を利用することができず、上記と同様の問題があった。
【０００７】
また特許文献１に示すような本実接続の場合、１枚目の床材を接続した後の２枚目以降の床材の接続にあっては、先に施工した床材の実部（もしくは凹部）に次の床材の凹部（実部）を横方向から差し込むことで実部と凹部とを嵌合させるといった施工が行われるのが一般的であるが、この場合、床材の差し込み方向と粘着テープの粘着面との向きとが直交する方向にあるため、２枚目以降の床材を接続する際は床材の接続前に床材の下面が両面粘着テープに当たり、この後床材を横方向にスライドさせることで床材同士を接続することとなり、これによって両面粘着テープが床材により捲れてしまい、施工が非常に難しく、またこの場合、隣合う床材間に両面粘着テープが入り込んでしまって目隙が発生する等の問題が生じる。
【０００８】
本発明は上記の点に鑑みてなされたものであり、その目的とするところは、床下地材の凹凸による床材の段差や、床材の膨張収縮による突き上げや目隙が発生しにくく、床材の厚みを薄くでき、且つ接続の際に両面粘着テープが捲れることなく簡単に施工でき、厚みを薄くしたにもかかわらず強度の高い床材の接続構造を提供することを課題とするものである。
【０００９】
【課題を解決するための手段】
上記課題を解決するために本発明に係る床材の接続構造は、木粉樹脂複合材１を基材とする床材２を床下地材３に複数並べて載置し、隣接する床材２のうち、一方の床材２ａの側面下半部に下突部４を形成すると共に他方の床材２ｂの側面上半部に上突部５を形成して隣接する床材２の側面に相じゃくり状の上下突部４、５を形成し、一方の床材２ａの下突部４を他方の床材２ｂの上突部５の下方に形成された下段部６に嵌め込むと共に他方の床材２ｂの上突部５を一方の床材２ａの下突部６の上方に形成された上段部７に嵌め込み、粘着テープ８を隣接する床材２の下面に跨って貼着してなることを特徴とするものである。
【００１０】
このように隣接する床材２のうち、一方の床材２ａの側面下半部に下突部４を形成すると共に他方の床材２ｂの側面上半部に上突部５を形成して隣接する床材２の側面に相じゃくり状の上下突部４、５を形成し、一方の床材２ａの下突部６を他方の床材２ｂの上突部５の下方に形成された下段部６に嵌め込むと共に他方の床材２ｂの上突部５を一方の床材２ａの下突部４の上方に形成された上段部７に嵌め込み、床材２同士の接続を相じゃくり状の上下突部４、５を接続することによって行うことで、床材２を強度を確保しつつ３ｍｍ以下まで厚みを薄くすることができる。また、このような隣接する相じゃくり状の上下突部４、５を有する床材２の下面に跨って粘着テープ８を貼着することで、床下地材３の凹凸による床材２の段差や、床材２の膨張収縮による突き上げが発生しにくくなり、また床材２の熱や乾燥による収縮などによって発生する目隙を防止することができる。更に言うと、粘着テープ８をその下面が床下地材３に貼着される両面粘着テープ８とした場合、床材２の接続の際に床材２を上方から下方に向けて嵌め込むだけで、先に施工した床材２の上段部７に次の床材２の上突部５を上方から嵌め込むと共に、次の床材２の下面を両面粘着テープ８へ押さえ付けて床材２を貼着することができ、これによって接続する床材２によって両面粘着テープ８を捲りあげることなく簡単に床材２同士を接続することが可能となる。
【００１１】
また請求項２記載の床材の接続構造は請求項１記載の床材の接続構造において、上記床材２が木粉樹脂複合材１の表面に化粧シート９を積層したものであることを特徴とするものである。
【００１２】
また請求項３記載の床材の接続構造は請求項１又は請求項２記載の床材の接続構造において、上記化粧シート９がオレフィン系の化粧シートであることを特徴とするものである。
【００１３】
このように化粧シート９をオレフィン系の化粧シート９とすることで、環境面に優れた床材２を提供できる。
【００１４】
また請求項４記載の床材の接続構造は請求項１〜３のいずれかに記載の床材の接続構造において、上記床材２の厚みが３ｍｍ以下であることを特徴とするものである。
【００１５】
【発明の実施の形態】
本実施形態における床材２の接続構造は、図１及び図２に示すように長尺状の床材２を床下地材３に複数並べて載置し、この隣接する床材２同士を接続するものである。
【００１６】
図３に床材２を示す。
【００１７】
床材２は基材となる板状の木粉樹脂複合材１（厚み１．３ｍｍ）の表面に化粧シート９（厚み１８０μｍ）を積層したものであり、厚みが３ｍｍ以下（約１．５ｍｍ）のものを使用する。なお、床材２は木粉樹脂複合材１に化粧シート９を積層したものに限定されるものではなく、木粉樹脂複合材１を基材とするものであれば良いものとする。
【００１８】
上記化粧シート９としては例えばオレフィン系化粧シート（ポリプロピレン樹脂シート）が用いられる。オレフィン系樹脂を用いることは環境面より好ましく、特にポリプロピレンは性能やコストの面で好ましいからである。なお、化粧シート９としては上記樹脂シートの他に、単板（突き板）シートや、紙、あるいは木粉樹脂複合材１の表面に直接印刷したもの等も使用可能であり、その素材は限定されないものとする。
【００１９】
また床材２を構成する木粉樹脂複合材１は、以下に示す木粉樹脂組成物を押出成形することで製造されている。なお、木粉樹脂複合材１の成形方法を押出成形としたのは、押出成形を用いれば木粉樹脂組成物１を押出成形した直後に化粧シート９を積層するといったように生産効率の高い工程を組めるからであるが、これに限定されるものではない。
【００２０】
木粉樹脂組成物は、木粉と熱可塑性樹脂とを含有するものであって、本実施形態では上記の木粉及び熱可塑性樹脂に加えて吸湿や熱による膨張を抑えるために無機フィラーを含有している。
【００２１】
熱可塑性樹脂としては特に限定されないが、オレフィン系樹脂が環境面より好ましく、特に性能やコストの面でポリプロピレンが好ましい。
【００２２】
木粉としては混練時の分散性、成形性を向上させてより一層の強度を得るために、平均粒径が３０〜１００メッシュのものを用い、木粉樹脂組成物全量に対して５〜５０質量％添加配合することが好ましい。
【００２３】
無機フィラーとしてはアスペクト比の大きなマイカや、タルク、アルミナ等が性能の面で好ましい。またこの無機フィラーの添加量としては木粉樹脂組成物全量に対して１０〜６０質量％が好ましい。１０質量％未満であると高い寸法精度が得られず、また６０質量％を超えると成形品が脆くなるからである。なお、無機フィラーの配合量としては特に限定されず、必要とする吸湿や熱による膨張性能に合わせて適宜決定すれば良いものとする。
【００２４】
また上記熱可塑性樹脂、木粉、無機フィラーの分散性や、成形品のより高い強度を得るために酸変性のオレフィン樹脂を配合することが好ましく、特にマレイン酸変性したオレフィン樹脂が性能、入手等の面で優れている。
【００２５】
このように木粉樹脂組成物から成形される木粉樹脂複合材１を床材２の基材とすることで、床材２の強度の高くでき、これにより床材２は十分な強度を有する厚みの薄いものとなる。
【００２６】
そして上記床下地材３に複数並べて載置される各床材２は、長尺状の床材２の４辺のうち、隣合う２辺に相当する側面の下半部に下突部４が形成され、床材２の他の隣合う２辺に相当する側面の上半部に上突部５が形成されている。すなわち隣接する床材２のうち、一方の床材２ａの側面下半部に下突部４を形成し、他方の床材２ｂの側面上半部に上突部５を形成して隣接する床材２の側面に相じゃくり状の上下突部４、５を形成するのである。なお、ここでは長尺状の床材２の４辺全てに相当する側面に突部４、５を設けた例を示したが、床材２の対向する２辺のうち、１辺に相当する側面に下突部４を設け、他の１辺に相当する側面に上突部５を設けても良く、またこの場合、対向する２辺とは長辺の２辺であっても良いし、短辺の２辺であっても良いものとする。
【００２７】
そして上記床材２は以下に示す粘着テープ８を介して床下地材３に貼着される。
【００２８】
本実施形態における粘着テープ８としては、発泡体を基材とする厚みの厚いテープよりも、不織布や、和紙、樹脂シートを基材とする厚みの薄いテープが好ましい。発泡体を基材とするものや、厚みの厚いテープでは荷重により厚みが変動してしまい、これにより歩行時に違和感を感じたり、床材２に段差が生じてしまったりするからである。具体的には床材２の厚みの約１／２〜１／３以下の厚みを有する粘着テープ８を使用すれば良い。そして本実施形態においてはアクリル系両面粘着テープ（積水化学製  ♯５９５  厚み０．１７、基材  和紙）を粘着テープ８として用いている。これにより例えば上記の構成であれば床材２と両面粘着テープ８を合わせて１．７ｍｍとすることができ、床材２と床下地材３との段差を一般的にバリアフリー構造となる３ｍｍ以内に抑えることが可能となる。
【００２９】
以下に上記床材３を床下地材に載置し、隣接する床材２同士を接続する方法を示す。
【００３０】
まず、床下地材３上面に両面粘着テープ８の下面を貼着する。この時、両面粘着テープ８は、後に床材２を床下地材３に載置した際に上面が隣接する床材２の下面に跨って貼着されるように床下地材に貼着される。具体的には、図２に示すように床下地材３に長尺の両面粘着テープ８ａ（以下単に両面粘着テープ８ａと称す）を所定間隔（床材２の短手方向の長さ）毎に平行に貼着すると共に、床下地材３の両面粘着テープ８、８間の中央部に位置する箇所に短尺の両面粘着テープ８ｂ（以下端に両面粘着テープ８ｂと称す）を両面粘着テープ８ａと平行な方向における所定間隔（床材２の長手方向の長さ）毎に貼着する。
【００３１】
そして上記のように床下地材３上面に貼着した両面粘着テープ８に床材２を１枚ずつ貼着していく。具体的には、まず１枚目の床材２の下面の短手方向両端部を上方から両面粘着テープ８ａの上面の幅方向半部に貼着させると共に１枚目の床材２の下面の長手方向両端部の短手方向中央部を両面粘着テープ８ｂの上面の長手方向半部に貼着させる。この後、２枚目の床材２の上突部５を１枚目の床材２の下突部４上方に形成された上段部７に上方から嵌め込み、これと同時に２枚目の床材２の下面の短手方向両端部を上方から押さえつけて両面粘着テープ８ａの上面の幅方向半部に貼着させると共に２枚目の床材２の下面の長手方向両端部の短手方向中央部を上方から押さえつけて両面粘着テープ８ｂの上面の長手方向半部に貼着させる。そして３枚目以降の床材２は上記２枚目の床材２と同様の動作を行って床材２を接続していく。
【００３２】
すなわち、上記床材２の接続構造は、隣接する床材２のうち、一方の床材２ａの下突部４を他方の床材２ｂの上突部５の下方に形成された下段部６に嵌め込むと共に他方の床材２ｂの上突部５を一方の床材２ａの下突部４の上方に形成された上段部７に嵌め込んで床材２同士を相じゃくり接続し、そして両面粘着テープ８ａを短手方向に隣接する床材２の下面に跨って貼着すると共に両面粘着テープ８ｂを長手方向に隣接する床材２の下面に跨って貼着したものとなる。この接続状態では、一方の床材２ａは一方の床材２ａの下突部４が他方の床材２の上突部５によって上方から押さえらることによって浮き上がりが防止され、他方の床材２ｂは両床材２ａ、２ｂに跨って貼着された両面粘着テープ８によって浮き上がりが防止されることとなる。なお、上記では両面粘着テープ８ａを短手方向に隣接する床材２の下面に跨って貼着すると共に両面粘着テープ８ｂを長手方向に隣接する床材２の下面に跨って貼着した例を示したが、長手方向に隣接する床材２の下面にのみ跨って両面粘着テープ８を貼着しても良く、また短手方向に隣接する床材２の下面にのみ跨って両面粘着テープ８を貼着しても良いものとする。
【００３３】
このように隣接する床材２のうち、一方の床材２ａの側面下半部に下突部４を形成すると共に他方の床材２ｂの側面上半部に上突部５を形成して隣接する床材２の側面に相じゃくり状の上下突部４、５を形成し、一方の床材２ａの下突部４を他方の床材２ｂの上突部５の下方に形成された下段部６に嵌め込むと共に他方の床材２ｂの上突部５を一方の床材２ａの下突部６の上方に形成された上段部７に嵌め込んで、床材２同士の接続を相じゃくり状の上下突部４、５同士を接続すると共に粘着テープ８を隣接する床材の下面に跨って貼着して行うことで、床下地材３の凹凸による床材２の段差や、床材２の膨張収縮による突き上げが発生しにくくなる。尚且つこのように床材２同士の接続を相じゃくり状の上下突部４、５を接続することによって行うことで、特許文献１に示す実部を有する強度的に問題があった床材２を強度を確保しつつ３ｍｍ以下の厚みまで薄くすることができ、これによってリフォームの際にドアのアンダーカットや収納レールの張り替え等の大掛かりな施工をする必要がなくなり、大幅にコストを削減できる。また、粘着テープ８を隣接する床材２の下面に跨って貼着することで、床材２の熱や乾燥による収縮などによって発生する目隙を防止することができる。更に言うと、床下地材３上面に貼着した両面粘着テープ８に隣接する床材２の下面に跨って貼着することで、床材２の段差や突き上げをより一層防止することができる。
また本実施形態では上記のように床材２の接続するにあたって、床材２の接続の際に床材２を上方から下方に向けて嵌め込むだけで、先に施工した床材２の上段部７に次の床材２の上突部５を上方から嵌め込むと共に、次の床材２の下面を両面粘着テープ８へ押さえ付けて床材２を貼着することができ、すなわちこの場合床材２の嵌め込み方向と粘着テープ８の粘着面との向きとが直交する方向にでき、これによって接続する床材２により両面粘着テープ８を捲りあげることなく簡単に床材２同士を接続することが可能となる。
【００３４】
【発明の効果】
上記のように本発明の請求項１記載の発明にあっては、隣接する床材のうち、一方の床材の側面下半部に下突部を形成すると共に他方の床材の側面上半部に上突部を形成して隣接する床材の側面に相じゃくり状の上下突部を形成し、一方の床材の下突部を他方の床材の上突部の下方に形成された下段部に嵌め込むと共に他方の床材の上突部を一方の床材の下突部の上方に形成された上段部に嵌め込み、床材同士の接続を相じゃくり状の上下突部同士を接続することによって行うことで、床材を強度を確保しつつ３ｍｍ以下の厚みまで薄くすることができ、これによってリフォームの際にドアのアンダーカットや収納レールの張り替え等の大掛かりな施工をする必要がなくなり、大幅にコストを削減できる。また、このような隣接する相じゃくり状の上下突部を有する床材の下面に跨って粘着テープを貼着することで、床下地材の凹凸による床材の段差や、床材の膨張収縮による突き上げが発生しにくくなり、また床材の熱や乾燥による収縮などによって発生する目隙も防止することができる。更に言うと、粘着テープを特に下面が床下地材に貼着される両面粘着テープとした場合、床材の接続の際に、先に施工した床材の上段部に次の床材の上突部を上方から嵌め込むと共に、次の床材の下面を両面粘着テープへ押さえ付けて床材を貼着することができ、これによって接続する床材によって両面粘着テープを捲りあげることなく簡単に床材同士を接続することが可能となり、且つこの場合両面粘着テープが隣接する床材間に入り込むなどにより発生する目隙も防止できる。
【００３５】
また請求項３記載の発明にあっては、上記請求項１又は請求項２記載の発明の効果に加えて、化粧シートをオレフィン系の化粧シートとすることで、環境面に優れた床材を提供できる。
【図面の簡単な説明】
【図１】本発明の実施の形態の１例の床材の接続構造を示す要部拡大図である。
【図２】同上の床材を示す説明図である。
【図３】同上の床材の接続構造を示す平面視説明図である。
【符号の説明】
１    木粉樹脂複合材
２ａ  床材
２ｂ  床材
３    床下地材
４    下突部
５    上突部
６    下段部
７    上段部
８    粘着テープ
９    化粧シート
【図１】
2004204504.tif 000003
【図２】
2004204504.tif 000004
【図３】
2004204504.tif 000005